(57)【特許請求の範囲】
【請求項１】
使用者の首から吊り下げて企業やイベント会場等で使用する名札用のクリップであって、二つの面を有しその上端部に吊り下げ部材を取り付けるための吊り下げ部材取付部を有する基部と、前記基部とその一方の面側に設けた第一の挟持片とにより構成され使用者の情報を記載した表示片を比較的強力に挟持するためのスプリングを備えた第一のクリップ手段と、前記基部とその他方の面側に設けたプラスチック製の第二の挟持片とにより構成されその弾性変形によって使用者の衣服を挟み込む第二のクリップ手段とからなることを特徴とする名札用クリップ。
【請求項２】
使用者の首から吊り下げて企業やイベント会場等で使用する名札用のクリップであって、二つの面を有しその上端部に吊り下げ部材を取り付けるための吊り下げ部材取付部を有する基部と、前記基部とその一方の面側に設けた第一の挟持片とにより構成され使用者の情報を記載した表示片を比較的強力に挟持するためのスプリングを備えた第一のクリップ手段と、前記基部とその他方の面側に設けた第二の挟持片とにより構成され使用者の衣服を挟持するためのスプリングを備えた第二のクリップ手段とからなることを特徴とする名札用クリップ。
【発明の詳細な説明】
【０００１】
【発明の属する技術分野】
この発明は、一般の企業や役所並びに学会や各種のイベント会場等で使用する名札のための名札用クリップに関するものである。
【０００２】
【従来の技術】
従来使用されている名札としては、大別して下記のような二種類のものが知られている。第一の従来例になる名札は、図４に示すように、クリップ機構４１の上端部に、吊り下げ部材４３を取り付けるための吊り下げ部材取付部４２を備えており、前記クリップ機構４１において使用者の情報を記載した表示片４４を挟持し、使用者が前記クリップ機構４１を吊り下げて使用する名札である。第二の従来例になる名札は、図５に示すように、使用者の情報を記載した表示片５３を挿入するための透明ケースからなる表示片ホルダ５１を有し、前記表示片ホルダ５１の裏面にクリップ機構５２が取り付けられているものであって、使用者がこのクリップにより衣服の一部５４を挟持して、衣服に取り付けて使用するものである。
【０００３】
【発明が解決しようとする課題】
しかしながら、上記する第一の従来例になる名札は、使用者が作業や移動等をする場合、前記名札の表示片が揺動し、作業や移動等がしづらく、また使用者の情報を読み取ることが困難であるという問題がある。また、上記する第二の従来例になる名札は、透明ケースからなる表示片ホルダを必要とし、さらには、前記表示片ホルダより大きな表示片を使用することができない等の問題がある。
【０００４】
そこで、この発明は、使用者が作業や移動等をする場合に前記表示片が揺動せず、また使用者が、各種サイズの表示片を任意に選定することが可能な名札用クリップを提供することにある。
【０００５】
【課題を解決するための手段】
この発明は、上記の目的を達成するものであり、具体的には、二つの面を有する基部と、前記基部の一方の面側に形成される第一のクリップ手段と、前記基部の他方の面側に形成される第二のクリップ手段とからなる名札用クリップを構成するものである。
【０００６】
さらに、この発明は、前記第一のクリップ手段は、前記基部と前記基部の一方の面側に設けた第一の挟持片とにより構成され、前記第二のクリップ手段は、前記基部と前記基部の他方の面側に設けた第二の挟持片とにより構成された名札用クリップを構成するものである。
【０００７】
さらに、この発明は、前記第一のクリップ手段は、使用者の情報を記載した表示片を比較的強力に挟持するため、スプリングを備えたクリップ機構であり、前記第二のクリップ手段は、使用者の衣服の一部を挟持するものであり、クリップの材料の弾性変形によって、衣服の一部を挟み込むクリップ機構である名札用クリップを構成するものである。
【０００８】
さらに、この発明は、前記第一のクリップ手段は、使用者の情報を記載した表示片を比較的強力に挟持するため、スプリングを備えたクリップ機構であり、前記第二のクリップ手段は、使用者の衣服の一部を挟持するものであり、スプリングを備えたクリップ機構である名札用クリップを構成するものである。
【０００９】
さらに、この発明は、前記基部は、その上端部に吊り下げ部材を取り付けることを可能にした吊り下げ部材取付部を設けた名札用クリップを構成するものである。
【００１０】
【発明の実施の態様】
以下、この発明になる名札用クリップについて図面に示す具体的な実施例に基づいて詳細に説明する。
図１は、この発明にかかる名札用クリップについて、その基本的な構成を示すものであり、図１Ａは、第一のクリップ手段３と第二のクリップ手段４が異なるクリップ機構からなる名札用クリップ１Ａの概略的な側面図であり、図１Ｂは、第一のクリップ手段３と第二のクリップ手段４が同一であるクリップ機構からなる名札用クリップ１Ｂの概略的な側面図であり、図２は、図１Ａに示す前記名札用クリップ１Ａの概略的な正面図であり、図３は、図１Ａに示す前記名札用クリップ１Ａの概略的な側面図である。
【００１１】
まず、図１Ａに基づいて、第一の具体的実施例になる前記名札用クリップ１Ａについて説明する。前記名札用クリップ１Ａは、前記第一のクリップ手段３と、前記第二のクリップ手段４とから構成されている。この例になる前記名札用クリップ１Ａにおける前記第一のクリップ手段３と、前記第二のクリップ手段４とは、異なるクリップ機構からなっている。前記第一のクリップ手段３は、基部２と、第一の挟持片５と、第一の軸６と、第一のスプリング７とにより構成されており、前記第二のクリップ手段４は、前記基部２と、第二の挟持片９とにより構成されている。
【００１２】
上記のように構成された前記第一のクリップ手段３は、前記基部２における第一のクリップ用片２ａと、第一の挟持片５における挟持作用部５ａとにより表示片挟持部８を形成するものであり、前記第一のスプリング７の弾性変形を利用することにより、前記表示片挟持部８の部分で表示片２１を挟持するものである。さらに、上記のように構成された前記第二のクリップ手段４は、前記基部２における第二のクリップ用片２ｂと、第二の挟持片９における挟持作用部９ａとにより挟持部１０を形成するものであり、前記第二の挟持片９の弾性変形を利用することにより、前記挟持部１０で衣服の一部２２を挟持するものである。前記第二のクリップ手段４のための前記第二の挟持片９は、プラスチックなどの弾発性を有する素材により構成される。
【００１３】
また、前記基部２の上端部に、吊り下げ部材取付部１１を設けることにより、吊り下げ部材２３を前記吊り下げ部材取付部１１に装着し、前記名札用クリップ１Ａを使用者が吊り下げて使用することもできる。前記吊り下げ部材２３は、紐あるいはチェーン等である。
【００１４】
さらに、図１Ｂに基づいて、第二の具体的実施例になる前記名札用クリップ１Ｂについて説明する。前記名札用クリップ１Ｂは、前記第一のクリップ手段３と、前記第二のクリップ手段４とから構成されている。この例になる前記名札用クリップ１Ｂにおける前記第一のクリップ手段３と、前記第二のクリップ手段４とは、同一のクリップ機構からなっている。前記第一のクリップ手段３は、基部２と、第一の挟持片５と、第一の軸６と、第一のスプリング７とにより構成されており、前記第二のクリップ手段４は、基部２と、第二の挟持片１２と、第二の軸１３と、第二のスプリング１４とにより構成されている。
【００１５】
上記のように構成された前記第一のクリップ手段３は、前記基部２における第一のクリップ用片２ａと、第一の挟持片５における挟持作用部５ａとにより表示片挟持部８を形成するものであり、前記第一のスプリング７の弾性変形を利用することにより、前記表示片挟持部８の部分で表示片２１を挟持するものである。さらに、上記のように構成された前記第二のクリップ手段４は、前記基部２における第二のクリップ用片２ｂと、第二の挟持片１２における挟持作用部１２ａとにより挟持部１５を形成するものであり、前記第二のスプリング１４の弾性変形を利用することにより、前記挟持部１５の部分で衣服の一部２２を挟持するものである。
【００１６】
また、前記基部２の上端部に、吊り下げ部材取付部１１を設けることにより、吊り下げ部材２３を前記吊り下げ部材取付部１１に装着し、前記名札用クリップ１Ｂを使用者が吊り下げて使用することもできる。前記吊り下げ部材２３は、紐あるいはチェーン等である。
【００１７】
次いで、図２及び図３に基づいて、第一の実施例になる前記名札用クリップ１Ａの使用形態について説明する。前記第一のクリップ手段３により前記表示片２１を挟持し、前記第二のクリップ手段４により前記衣服の一部２２、例えば、衣服のポケット、襟部分等を挟持して、前記名札用クリップ１Ａを衣服に取り付ける。必要に応じて、前記名札用クリップ１Ａに取り付けられた前記吊り下げ部材２３により前記名札用クリップ１Ａを吊り下げて使用することもできる。
【００１８】
【発明の効果】
この発明は、以上の構成になる名札用クリップであり、使用者が作業や移動等をする場合において、前記第一のクリップ手段により、表示片を挟持し、前記第二のクリップ手段により、名札用クリップを使用者の衣服の一部に取り付けることにより、表示片が揺動せず、表面が常時正面に向いているので、使用者の情報を読み取ることが容易であるという点において極めて実用性が高い。
【００１９】
さらに、この発明になる名札用クリップは、表示片をそのまま前記第一のクリップで挟持するように構成したものであり、表示片ホルダを必要としないという点において経済的にも有利に作用し、また、表示片ホルダによる構成のものと異なり、各種サイズの表示片を任意に選定することが可能であるという点においても極めて実用性が高い。
【図面の簡単な説明】
【図１】図１は、この発明にかかる名札用クリップについて、その基本的な構成を示すものであり、図１Ａは、第一のクリップ手段３と第二のクリップ手段４が異なるクリップ機構からなる名札用クリップ１Ａの概略的な側面図であり、図１Ｂは、第一のクリップ手段３と第二のクリップ手段４が同一であるクリップ機構からなる名札用クリップ１Ｂの概略的な側面図である。
【図２】図２は、図１Ａに示す名札用クリップ１Ａの概略的な正面図である。
【図３】図３は、図１Ａに示す名札用クリップ１Ａの概略的な側面図である。
【図４】図４は、上記する第一の従来例による名札について、その具体的な実施例を示す概略的な側面図である。
【図５】図５は、上記する第二の従来例による名札について、その具体的な実施例を示す概略的な側面図である。
【符号の説明】
１Ａ  第一の実施例になる名札用クリップ
１Ｂ  第二の実施例になる名札用クリップ
２  基部
３  第一のクリップ手段
４  第二のクリップ手段
１１  吊り下げ部材取付部
２１  表示片
２２  衣服の一部
２３  吊り下げ部材
【図１】
0003590326.tif 000002
【図２】
0003590326.tif 000003
【図３】
0003590326.tif 000004
【図４】
0003590326.tif 000005
【図５】
0003590326.tif 000006